(57)【要約】【課題】  足腰の筋肉をストレッチする運動と縮める運動の二種類をスムーズに行える器具を提供する。【解決手段】  上記課題を解決する為に、本発明は、上面に足を乗せる足置き部を有する足置き部材の任意の箇所に、或る長さを有し、且つ柔軟性と伸縮性を有する伸縮部材の一方を取り付ける。そして他方には足を掛ける手段を有する足掛け部を形成する。少なくとも以上の構成で成る筋肉トレーニング器の足置き部材の端部の側面に、ストレッチ部材を接続する。該ストレッチ部材は回転軸を有する接続部を介して足置き部材に接続しており、ストレッチ部材を回転させて立てた際、其の頂部が足置き部の面より少なくとも１ｃｍ以上上方に突出し、更に頂部が足置き部材の底部から５ｃｍ以上の高さに位置する様に形成されていることを特徴とする筋肉トレーニング器を提供する。【選択図】図１
2010264199.tif 000002
【特許請求の範囲】
【請求項１】
上面に足を乗せる足置き部を有する足置き部材の任意の箇所に、或る長さを有し、且つ柔軟性と伸縮性を有する伸縮部材の一方を取り付ける。そして他方には足を掛ける手段を有する足掛け部を形成する。少なくとも以上の構成で成る筋肉トレーニング器の足置き部材の端部の側面に、ストレッチ部材を接続する。該ストレッチ部材は回転軸を有する接続部を介して足置き部材に接続しており、ストレッチ部材を回転させて立てた際、其の頂部が足置き部の面よりも少なくとも１ｃｍ以上上方に突出し、更に頂部が足置き部材の底部から５ｃｍ以上の高さに位置する様に形成されていることを特徴とする筋肉トレーニング器。
【発明の詳細な説明】
【技術分野】
【０００１】  本発明は足腰の筋肉を鍛えるための筋肉トレーニング器に関する。
【背景技術】
【０００２】  従来、足腰の筋肉を鍛えるための器具は色々提供されているが、其の一つに本発明の発明者が平成２１年４月４日に出願した特許出願に次ぎの如き器具が有る。それは本発明と同様に足を乗せる部分を有する部材にゴム紐を取り付け、更に其の先に足を掛ける部材を取り付け、その足を掛けた部材を引き動かして筋肉を鍛えるものであるが、其の出願において段落（００１０）の最後に（足置き部材１の端部の縁に沿って突起を伸長させて形成すると踵を床に付けた状態でふくらはぎを伸ばす運動ができる）と記述している。これは足を乗せる部材の端部を上方に突出させ、其処に足先を乗せた状態で踵を下げられる様にし、ふくらはぎのストレッチ運動を行える様にすると云うものであるが、この出願の構造では足を掛ける部材を引き張った際に足の先が突出した部分に引っ掛かり易く、使い辛いものとなっていた。
【発明が解決しようとする課題】
【０００３】本発明の器具の構造にすることで使用する際に足の引っ掛かりを無くし、足腰の筋肉のストレッチ運動と収縮運動の二種類を容易ならしめる器具を提供する。
【課題を解決するための手段】
【０００４】  上記課題を解決する為に本発明は次ぎの如き筋肉トレーニング器を提供する。
１、上面に足を乗せる足置き部を有する足置き部材の任意の箇所に、或る長さを有し、且つ柔軟性と伸縮性を有する伸縮部材の一方を取り付ける。そして他方には足を掛ける手段を有する足掛け部を形成する。少なくとも以上の構成で成る筋肉トレーニング器の足置き部材の端部の側面に、ストレッチ部材を接続する。該ストレッチ部材は回転軸を有する接続部を介して足置き部材に接続しており、ストレッチ部材を回転させて立てた際、其の頂部が足置き部の面よりも少なくとも１ｃｍ以上上方に突出し、更に頂部が足置き部材の底部から５ｃｍ以上の高さに位置する様に形成されていることを特徴とする筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものでは無い。
【０００６】  図１は本発明の一態様に係る筋肉トレーニング器の全体の形態を示す斜視図（ａ）と一部分の構造を示す側面図（ｂ）と（ｃ）である。図１（ａ）に示す筋肉トレーニング器は上面に足を乗せる足置き部２を有した足置き部材１の上面に、或る長さを有し、且つ柔軟性と伸縮性を有する紐状の伸縮部材３の一方が取り付けられており、該伸縮部材３のももう一方には足の先を掛ける手段を有する足掛け部４が形成されている。図１において、該足掛け部４は環状の且つ帯状の形態で形成されている。更に足置き部材１の端部の側面には頂部８を丸くした板状のストレッチ部材５が回転軸６を有する接続部７で足置き部材１から伸長した部分に取り付けられている。図（ｂ）はストレッチ部材５と接続部７と足置き部材１の取り合いを部分拡大して示す側面図であり、ストレッチ部材を立てた形態となっている。図（ｃ）は同様に拡大した側面図であるが図（ｃ）はストレッチ部材５を倒した形態となっている。以上が本発明の筋肉トレーニング器の構造である。
【０００７】  これを使用するには足置き部材１の上面の足置き部２に片足を乗せて足掛け部４にもう一方の足の先を差し入れて掛け、任意の方向に引き張る。この様にすることで伸縮部材３が伸縮し、その張力で足腰に負荷を与え、筋肉のトレーニングを行うことができる。更に傾斜したストレッチ部材５の側面に足の裏を宛がって立ち、踵を床に下ろすことでふくらはぎを引き伸ばす運動ができるのである。ストレッチ部材５を使用する際には図（ｂ）で示す様にストレッチ部材５を立てて其の頂部８が足置き部２の面より上方に突出させることが必要である。この様に突出させることでストレッチ部材５だけを足置き部材１の底部から高く形成することができ、これにより足置き部２を床から低く形成することができるのである。足置き部２を低く形成することは使用する際の使い易さ及び安全に繋がるものである。又、頂部８が突出することで足置き部２に足を置いた状態で、ストレッチ部材５の頂部８を上から踏み付け、足の裏を押すことができ、更に前述の如く、側面の傾斜部分に足の裏を宛がい立つことに依り、ふくらはぎのストレッチ運動ができるのである。然しながらストレッチ部材５が突出した状態の侭では、足掛け部４を足置き部に沿って引き張った際に足先がストレッチ部材５に当たってしまい、スムーズな引き張り運動ができなくなる。それを解決する為に、本発明においてはストレッチ部材５と足置き部材１を回転軸６を有する接続部７で接続し形成するものである。この様にすることでストレッチ部材５を回転させて倒すことができ、引き張る運動をする際に、足が当たる不具合を無くすことができるのである。
【０００８】  次ぎに各部分の詳細に就いて説明する。図１に示す足置き部材１は或る高さを有する箱状の部材で形成されているが形状は任意である。実施上は縦３０ｃｍ以上、横２０ｃｍ以上、高さ１０ｃｍ以内程度が好ましい。材質も任意である。実施上はプラスチックなどで良い。又、材質の異なる部材を複合させたものでも良い。次ぎに足置き部２であるが、これは足置き部材１の上面の足を乗せる部分を示すものである。或る広さ、即ち片足を乗せられる広さを有していれば良い。広さは任意であるが縦横１０ｃｍ以上の広さを有していれば良く、材質も任意である、足置き部材１と同じでも良く又は異なる材質であっても良い。又、表面に高さ５ｍｍ程度の突起を複数個形成し足の裏を押す機能を付加しても良い。次ぎに伸縮部材３であるが図１では紐状の形態で示されているが、実施上はゴム材で形成したものが好ましい。ゴム材の場合チューブ状のものでも良い。該伸縮部材３の伸縮率は伸びていない時を１とすると、伸びた時に２以上になることが好ましい。寸法は任意であるが長さは５０ｃｍ以上で太さは１ｃｍ程度が好ましい。図１では伸縮部材３は足置き部材１の表側に取り付けられているが、実施上、足置き部材１に脚を形成して、其の裏側に配置しても良い。其の場合は足置き部材１の上面に孔を形成してそこから伸縮部材を表に引き出して、其の先に足掛け部を形成しても良い。又、伸縮部材３は直接に足置き部材１に取り付けられていても、別の部材を介して間接に取り付けられていても良い。次ぎに足掛け部４であるが足掛け部４は足の先を掛ける手段を有していれば良く、形状は任意である。実施上は図１で示す様に環状で且つ帯状で形成することが好ましい。実施上、環の差し渡しは１０ｃｍ以上で、帯の幅は５ｃｍ以上が好ましい。これ以外では袋状や筒状などが選択できる。又、伸縮部材３と切り離しができる構造でも良い。材質は柔軟性を有する部材が好ましい。又、足掛け部は伸縮部材３に直接取り付けられても、間接に或る部材を介して取り付けられても良い。
【０００９】  次ぎにストレッチ部材５であるが、使用する際の形態が図１（ａ）と（ｂ）に示されている。図（ｂ）で示す様にストレッチ部材５は板状の部材の頂部８を丸く形成し、其の側面を傾斜させて足置き部材に接触させた形態となっており、更にストレッチ部材５の下部には回転軸６を有する接続部７が左右二箇所に形成されており、該接続部７を介して足置き部材１と接続している。又、該接続部７は足置き部材１から板状の部材を伸長させて其の先に形成されている。この板状の部材も足置き部材１の一部である。図（ｃ）は接続部７でストレッチ部材５を回転させ、横に倒した形態を示す図である。この様にすることで、足置き部２の上面に突出していたストレッチ部材５の頂部８を足置き部材１の側面に移動させることができるのである。このストレッチ部材５の形状及び寸法は任意であるが、実施上は図１（ａ）と（ｂ）で示す様に回転させ立てた際に、傾斜する面を縦方向に８ｃｍ以上を有し、厚みは１ｃｍ以上を有することが好ましい。又、頂部８の形状も任意である。形状・寸法は経験的に決定されて良い。又、ストレッチ部材５に滑り止めの線状の小さな凹みを横方向に複数本形成しても良い。又、頂部８に足の裏を押す為の凹凸を形成しても良い。又、材質も任意である。足置き部材１と同じでも良いし、別の材質でも良い。
【００１０】  上記において、本発明の筋肉トレーニング器の各部の好ましい形状及び寸法及び材質に就いて説明したが、形状、材質は適宜経験的に決定できる。但し寸法は本発明の規定する寸法に基づき経験的に決定できる。限定していない寸法に就いては任意である。
【発明の効果】
【００１１】  本発明の筋肉トレーニング器によれば足の筋肉のストレッチ運動と収縮運動をスムーズに行うことができる。
【図面の簡単な説明】
【００１２】
【図１】  本発明の一態様に係る筋肉トレーニング器の形態を示す斜視図（ａ）と一部分の構造を示す側面図（ｂ）と（ｃ）である。
【符号の説明】１、足置き部材
２、足置き部
３、伸縮部材
４、足掛け部
５、ストレッチ部材
６、回転軸
７、接続部
８、頂部
【図１】
2010264199.tif 000003